(57)【要約】【課題】対向するサブドレンパンによる通風抵抗を低減する【解決手段】２つの熱交換器１０，２０が、両方とも傾斜して配置されており、且つ、この２つの熱交換器１０，２０が任意の対称面に対して面対称の形で配置されており、以って逆Ｖ字型を構成している。熱交換器１０，２０にはサブドレンパン群１１、２１が設けられ、サブドレンパン群１１、２１同士は上記対称面に対して非面対称の配置で設けられている。【選択図】図１
2018185060.tif 000002
【特許請求の範囲】
【請求項１】
空調システムの熱交換器であって、
対向して設けられた１対の熱交換部と、
該１対の熱交換部が対向する側の面にそれぞれ設けられたサブドレンパン群とを有し、
前記１対の熱交換部における互いに対向する面同士が任意の対称面に対して面対称になるように配置されると共に、それぞれの前記熱交換部における前記サブドレンパン群同士が前記対称面に対して非面対称になるように配置され、
前記サブドレンパン群における各サブドレンパンのうち少なくとも１つが、前記対称面に対して非面対称になるように配置されることを特徴とする熱交換器。
【請求項２】
前記サブドレンパン群におけるサブドレンパンは、水平方向に対して熱交換部の長手方向に傾斜する形で前記熱交換部に設けられ、
一方の前記熱交換部に設けられるサブドレンパンの傾斜角が、他方の前記熱交換部において対向する位置に存在するサブドレンパンの傾斜角と異なることで、前記対称面に対して非面対称になるように配置されることを特徴とする請求項１記載の熱交換器。
【請求項３】
一方の前記サブドレンパン群と他方の前記サブドレンパン群とが、前記対称面上の特定の軸を２回回転軸とする回転対称の関係であることを特徴とする請求項２記載の熱交換器。
【請求項４】
前記サブドレンパン群におけるサブドレンパンは、水平方向に対して熱交換部の長手方向に傾斜する形で前記熱交換部に設けられ、
一方の前記熱交換部に設けられる前記サブドレンパンと、他方の前記熱交換部に設けられる前記サブドレンパンが並行かつ高さ方向の位置が異なるように配置されることで、前記対称面に対して非面対称になるように配置されることを特徴とする請求項１記載の熱交換器。
【請求項５】
前記対称面は垂直方向の面であることを特徴とする請求項１〜４の何れかに記載の熱交換器。
【請求項６】
前記１対の熱交換部は、逆Ｖ字型に構成されることを特徴とする請求項１〜５の何れかに記載の熱交換器。
【請求項７】
空調システムの室内機において、
対向して設けられた１対の熱交換部と、
該各熱交換部が対向する側の面にそれぞれ設けられたサブドレンパン群とを有し、
前記１対の熱交換部における互いに対向する面同士が任意の対称面に対して面対称になるように配置されると共に、それぞれの前記熱交換部における前記サブドレンパン群同士が前記対称面に対して非面対称になるように配置され、
前記サブドレンパン群における各サブドレンパンのうち少なくとも１つが、前記対称面に対して非面対称になるように配置されることを特徴とする室内機。
【請求項８】
前記空調システムは、前記室内機に備えられる第１の熱交換部と室外機に備えられる第２の熱交換部とを有する間接外気冷房機と、前記室内機に備えられる蒸発器と前記室外機に備えられる凝縮機とを有する一般冷房機とが混在する空調システムであり、
前記各熱交換部は、それぞれ、前記第１の熱交換部と前記蒸発器とを有することを特徴とする請求項７記載の室内機。
【請求項９】
室内機を有する空調システムであって、
前記室内機は、
対向して設けられた１対の熱交換部と、
該１対の熱交換部が対向する側の面にそれぞれ設けられたサブドレンパン群とを備え、
前記熱交換部における互いに対向する面同士が任意の対称面に対して面対称になるように配置されると共に、それぞれの前記熱交換部における前記サブドレンパン群同士が前記対称面に対して非面対称になるように配置され、
前記サブドレンパン群における各サブドレンパンのうち少なくとも１つが、前記対称面に対して非面対称になるように配置されることを特徴とする空調システム。
【請求項１０】
前記空調システムは、前記室内機に備えられる第１の熱交換部と室外機に備えられる第２の熱交換部とを有する間接外気冷房機と、前記室内機に備えられる蒸発器と前記室外機に備えられる凝縮機とを有する一般冷房機とが混在する空調システムであり、
前記各熱交換部は、それぞれ、前記第１の熱交換部と前記蒸発器とを有することを特徴とする請求項９記載の空調システム。
【発明の詳細な説明】
【技術分野】
【０００１】
本発明は、空調システムの構造に関する。
【背景技術】
【０００２】
例えば、特許文献１の従来技術が知られている。
特許文献１に開示されている構成では、利用側熱交換器３の下方位置に、利用側熱交換器３の外表面で生じて滴下したドレンを収受するメインドレンパン１７が配備されている。傾斜配置にされた利用側熱交換器３の空気出側には、複数個のサブドレンパン７，７，７，・・・が上下方向の適宜間隔で配備されている。これらのサブドレンパン７，７，７，・・・は露飛び対策用として設けられている。
【先行技術文献】
【特許文献】
【０００３】
【特許文献１】特開２０１５−４４５４号公報
【発明の概要】
【発明が解決しようとする課題】
【０００４】
ここで、本出願人は、図７、図８に示す構造の熱交換器を検討している。
図７は斜視図であり、図８は三面図である。図７（ａ）、（ｂ）は、異なる方向から見た斜視図である。図８（ａ）は正面図、図８（ｂ）は上面図、図８（ｃ）は左側面図、図８（ｄ）は右側面図である。
【０００５】
尚、これら各図面のうち図８（ａ）（正面図）以外の図面は、サブドレンパンに関しては透視図として示している。
【０００６】
この熱交換器は、例えば空調システムの室内機に設けられるが、図７、図８では、室内機の他の構成は省略して示している。
【０００７】
図示の例の熱交換器は、板状に形成された熱交換部（蒸発器など）を２枚用いて、この２枚が両方とも傾斜しており、且つ、この２枚が任意の対称面（垂直の平面など）に対して面対称に配置された構造を有する。つまり、図８（ａ）（正面図）では図示のように逆Ｖ字状（Ａ字状、あるいはハの字状とも言える）に配置される２つの熱交換部１１０．１２０を有する構成となっている。この様な構成により、熱交換器の大きさに比べてその設置空間を小さくすることができ、以って例えば室内機の小型化を図ることができる。
【０００８】
また、図示の例の熱交換部１１０，１２０は、それぞれ、サブドレンパン群１１１，１２１を備える。２つの熱交換部１１０，１２０には、それぞれ、その表面（内側表面）に図示のようにサブドレンパン群１１１，１２１が設けられている。これより、サブドレンパン群１１１とサブドレンパン群１２１とが対向して設けられることになる。
【０００９】
上記のように、図示の例の熱交換器は、まず、一対の熱交換部１１０，１２０が対向して設けられ、特に１対の熱交換部１１０，１２０における互いに対向する面同士が任意の対称面に対して面対称になるように配置される。そして、各熱交換部１１０，１２０における上記サブドレンパン群１１１，１２１同士が上記対称面に対して面対称になるように配置される。
【００１０】
尚、サブドレンパン群１１１は、複数のサブドレンパン１１１ａ，１１１ｂ，・・・より成る。同様に、サブドレンパン群１２１は、複数のサブドレンパン１２１ａ，１２１ｂ，・・・より成る。
【００１１】
各サブドレンパン１１１ａ，１１１ｂ，・・・、１２１ａ，１２１ｂ，・・・は、ドレン水を流下させる為に（受けた結露水を排水する為に）、図７に示す例では側面から見て（水平方向に対して熱交換部の長手方向に傾斜する形で）同じ傾斜角で傾斜して（図８（ｄ）（右側面図）において同じ傾斜角αとなるように）各熱交換部に取り付けられている（並行設置されている）。つまり、この例では、左側の熱交換部１１０のサブドレンパン１１１ａ，１１１ｂ，・・・と、右側の熱交換部１２０のサブドレンパン１２１ａ，１２１ｂ，・・・とが、上記対称面に対して面対称となるように配置されている。
【００１２】
尚、上記対称面を側面から見た状態を、図８（ａ）（正面図）において一点鎖線の直線で示すものとする。図示の一点鎖線で示すように、上記対称面は、２つの熱交換部１１０，１２０の中間に位置しており、図示のように二次元的に見た場合は、サブドレンパン群１１１とサブドレンパン群１２１とは（あるいは、熱交換部１１０と熱交換部１２０とは）、一点鎖線によって線対称の関係に位置する。
【００１３】
この様に、図７の例では、２つの熱交換部１１０，１２０が、それぞれに設けられたサブドレンパン群１１１，１２１まで含めた全体としても、上記対称面に対して面対称となっている。この為、左右で互いに対応するサブドレンパン間の間隔が、図８（ａ）（正面図）に示すように、上方側になるほど狭くなり、サブドレンパン１１１ａ−１２１ａ間が、最も狭くなる。
【００１４】
一方で、空気の流れは、図８（ａ）（正面図）に太矢印で示すように、各熱交換部１１０，１２０の外側から内側に向けて、熱交換部１１０，１２０を通過するように構成されている。
【００１５】
この為、上記のように２枚の熱交換部を左右対称に傾斜配置させた熱交換器の内側の上方部では、サブドレンパンにより流路が閉塞されている（空気が通り難くなる）為、空気の熱交換器通過後の通風抵抗が非常に大きくなっている。この様に、逆Ｖ字型の熱交換器に関して、サブドレンパンによる通風抵抗の増大、という課題が生じる。
【００１６】
尚、上述したことから、図７、図８に示すような構造の熱交換器を、面対称タイプの熱交換器と呼ぶ場合もあるものとする。
【００１７】
本発明の課題は、空調システムにおいて、対向する形でサブドレンパンが形成された１対の熱交換部を有する熱交換器の構成に係わり、サブドレンパンによる通風抵抗を低減する熱交換器、室内機、空調システム等を提供することである。
【課題を解決するための手段】
【００１８】
本発明の熱交換器は、空調システムの熱交換器であって、対向して設けられた１対の熱交換部と、該１対の熱交換部が対向する側の面にそれぞれ設けられたサブドレンパン群とを有する。
【００１９】
そして、前記１対の熱交換部における互いに対向する面同士が任意の対称面に対して面対称になるように配置されると共に、それぞれの前記熱交換部における前記サブドレンパン群同士が前記対称面に対して非面対称になるように配置される。
【００２０】
前記サブドレンパン群における各サブドレンパンのうち少なくとも１つが、前記対称面に対して非面対称になるように配置される。
【発明の効果】
【００２１】
本発明の熱交換器、室内機、空調システム等によれば、対向する形でサブドレンパンが形成された複数の熱交換器本体を有する構成に係わり、サブドレンパンによる通風抵抗を低減することができる。
【図面の簡単な説明】
【００２２】
【図１】（ａ）、（ｂ）は、本例の熱交換器の第１の構造例の斜視図である。
【図２】（ａ）〜（ｄ）は、本例の熱交換器の第１の構造例の三面図である。
【図３】（ａ）、（ｂ）は、第１の構造例の効果を説明する為の図である。
【図４】本例の熱交換器の第２の構造例の斜視図である。
【図５】（ａ）〜（ｄ）は、本例の熱交換器の第２の構造例の三面図である。
【図６】本例の熱交換器を備える室内機の一例を示す図である。
【図７】面対称タイプの熱交換器の斜視図である。
【図８】（ａ）〜（ｄ）は、面対称タイプの熱交換器の斜視図である。
【発明を実施するための形態】
【００２３】
以下、図面を参照して本発明の実施の形態について説明する。
図１、図２に、本例の熱交換器の第１の構造例を示す。
【００２４】
ここで、本例の熱交換器は、例えば室内機内に設けられているが、図１、図２は上記図７、図８と同様に、熱交換部とサブドレンパンのみを示す。そして、図１（ａ）、（ｂ）は斜視図であり、図２は三面図である。図２（ａ）は正面図、図２（ｂ）は上面図、図２（ｃ）は左側面図、図２（ｄ）は右側面図である。尚、図１（ａ）、（ｂ）において太矢印で示す方向が、正面から見た方向であるものとする。
【００２５】
尚、これら各図面のうち図２（ａ）（正面図）以外の図面は、サブドレンパンに関しては透視図として示している。また、図２（ａ）（正面図）は、正面から見た断面図と見做しても良い。
【００２６】
また、ここでは、「熱交換器」は、「複数の熱交換部＋各々に設けられたサブドレンパン」を有するものとする。
【００２７】
図１、図２に、本例の熱交換器の第１の構造例では、まず、複数の熱交換部自体の構造は、図７、図８と同様であり、逆Ｖ字型の構成となっている。すなわち、各々が板状に形成された２つの熱交換部（熱交換プレート）１０，２０が、両方とも傾斜して配置されており、且つ、この２つの熱交換器１０，２０が任意の対称面（垂直の平面）に対して面対称の形で配置されており、以って例えば、逆Ｖ字型を構成している。このように、本例の「熱交換器」は、複数の「熱交換器部」が、逆Ｖ字型を構成して成るものである。
【００２８】
但し、この例に限らない。上述した２つの熱交換部が任意の対称面（垂直の平面）に対して面対称の形で配置された構成としては、上記逆Ｖ字型以外にも例えばＶ字型等も考えられる。また、本例の熱交換器の適用対象は、室内機に限らず、例えば室外機等であっても構わない。
【００２９】
尚、上記対称面を側面から見た状態を、図２（ａ）（正面図）において一点鎖線の直線で示すものとする。図示の一点鎖線で示すように、上記対称面は、２つの熱交換部１０，２０の中間に位置しており、図示のように二次元的に見た場合は、２つの熱交換部１０，２０は一点鎖線によって線対称の関係に位置する。尚、図２（ａ）では、熱交換部だけでなくサブドレンパンも線対称の関係に見えるかもしれないが、図１に示すようにサブドレンパンは面対称の関係にはない。
【００３０】
また、ここでも、空気の流れは、図２（ａ）（正面図）に太矢印で示すように、各熱交換部１０，２０の外側から内側に向けて、熱交換部１０，２０を通過するように構成されている。
【００３１】
熱交換部１０，２０内には冷媒が流れており、熱交換部１０，２０内を通過する空気は、冷媒によって冷却される。熱交換部１０，２０には、冷却によって生じて滴下してくる結露水を受けるためのサブドレンパン群１１，１２が設けられる。各熱交換部１０，２０には、内側表面に、サブドレンパン群１１，１２が設けられる。これより、サブドレンパン群１１とサブドレンパン群１２とが対向して設けられることになる。
【００３２】
尚、サブドレンパン群１１は、複数のサブドレンパン１１ａ，１１ｂ，１１ｃ，１１ｄより成る。同様に、サブドレンパン群２１は、複数のサブドレンパン２１ａ，２１ｂ，２１ｃ、２１ｄより成る。
【００３３】
本例でも、互いに対応するサブドレンパン間の間隔が、図２（ａ）（正面図）に示すように、上方側になるほど狭くなり、サブドレンパン１１ａ−２１ａ間が、最も狭くなる。尚、互いに対応するサブドレンパンとは、１１ａと２１ａ、１１ｂと２１ｂ、１１ｃと２１ｃ、１１ｄと２１ｄである。
【００３４】
ここで、上記図７、図８の構成では、２つのサブドレンパン群１１１，１２１は、右側側面から見て同じ傾斜角α°となるように、各熱交換部１１０，１２０に取り付けられており、以って並行設置されている。つまり、図７等の構成では、２つの熱交換部同士が面対称となり、且つ、２つのサブドレンパン群同士も面対称となっている。
【００３５】
これに対して、本例の構成は、図１等に示す第１の構造例も後述する第２の構造例も、２つの熱交換部同士は任意の対称面（上記垂直の平面）に対して面対称となるが、２つのサブドレンパン群同士は上記対称面に対して非面対称となっている。尚、非面対称とは、面対称ではないという意味である。
【００３６】
本例の構成は、図１等に示す第１の構造例も後述する第２の構造例も、水平方向に対して熱交換部の長手方向に傾斜する形で、各サブドレンパンが熱交換部に取り付けられている点では、図７、図８と同様であってよい。尚、“熱交換部の長手方向”とは、ここでは図２（ｃ）、（ｄ）、図５（ｃ）、（ｄ）、図８（ｃ）、（ｄ）において図示の両矢印で示す方向であるものとする。
【００３７】
上記のように、図示の例の熱交換器は、まず、一対の熱交換部１０，２０が対向して設けられ、特に１対の熱交換部１０，２０における互いに対向する面同士が任意の対称面に対して面対称になるように配置される。そして、各熱交換部１０，２０における上記サブドレンパン群１１，２１同士が上記対称面に対して非面対称になるように配置される。
【００３８】
上記対称面は、例えば垂直方向の面である。
この様にサブドレンパン群同士は非面対称となる構成の一例として、図１等に示す第１の構造例では、２つのサブドレンパン群１１，１２が、相互に異なる傾斜角となるように構成されている。
【００３９】
ここで、図７等の構成では、２つのサブドレンパン群１１１，１２１が、同じ傾斜角となるように構成されており（右側面から見て、両方とも傾斜角α）、以って２つのサブドレンパン群１１１，１２１は、上記対称面に対して面対称の関係となっている。
【００４０】
これに対して、本例では、２つのサブドレンパン群は、面対称とならないように設置されており、その一例が図１に示すように、２つのサブドレンパン群１１，２１は、図示の側面から見て異なる傾斜角となるように、熱交換部１０，２０に取り付けられている。
【００４１】
本例では、図２（ｄ）に示すように、右側面から見た傾斜角が、一方のサブドレンパン群は＋α°、他方のサブドレンパン群は−α°となっている。つまり、右側面から見て、一方のサブドレンパン群は左下がり、他方のサブドレンパン群は右下がりとなっている。
【００４２】
但し、２つのサブドレンパン群を非面対称とする構成は、この例に限らず、後述するように、側面から見た傾斜角が同じであっても、面対称とならない構成もある。詳しくは後述する。
【００４３】
上記第１の構造例によれば、図３（ａ）に示すように、互いに対応するサブドレンパン間の距離は、側面から見て左端と右端で大きくなり、つまり正面側とその反対側（背面側とする）で大きく開口しており、その一方で中央部は図７、図８の構成と同じ狭さとなる。側面から見て両端で大きな開口部を確保できることで、熱交換器通過後（流出側）の通風抵抗を低減することができる。これより、ファン動力の低減や、流出側の圧力分布低減による熱交換器流入風速分布の均一化を図ることができ、以って熱交換性能の向上を図ることができる。
【００４４】
尚、比較の為に、図３（ｂ）には、上記図７等の構成の場合の互いに対応するサブドレンパン間の距離について示す。上記の通り、図７等の構成では２つのサブドレンパン群の関係は面対称の関係であるので、互いに対応するサブドレンパン間の距離は、何処でも同じであり（側面から見て左端でも右端でも中央でも全て同じ）、且つ、図３（ａ）の場合に比べて狭くなっている（但し、中央部は同じ）。
【００４５】
尚、上記第１の構造例では、２つのサブドレンパン群で傾斜角が異なればよいのであり、上記＋α°、−α°は一例であり、例えば一方が＋α°、他方が−β°や、一方が＋α°、他方が＋β°や、一方が−α°、他方が−β°（α≠β）等であっても構わない。但し、図示のような＋α°、−α°の構成の場合、上述した効果に加えて更に下記の効果も得られる。
【００４６】
すなわち、上記のことから、図１に示す構成の場合、２つのサブドレンパン群１１，２１同士の関係は、上記対称面（上記垂直の平面）上の特定の軸（垂直方向の軸）を２回回転軸とする回転対称の関係であると言える。換言すれば、サブドレンパン群１１を含む熱交換部１０を、特定の軸（垂直方向の軸）を中心に１８０°回転させると、サブドレンパン群２１を含む熱交換部２０と同一となる関係であると言える。これは、上側から二次元的に見れば、点対称の関係と見做すことも可能である。
【００４７】
尚、上記特性の軸は、特に図示しないが、上記回転対称の関係を実現させるものであれば何でもよい。
【００４８】
そして、上記回転対称の関係である故、熱交換部に対するサブドレンパン群の取り付け方は、同一である。つまり、２つのサブドレンパン群１１，２１は、両方とも、熱交換部１０，２０に対して同じ傾斜角で取り付けられていることになる（更に、高さ方向の位置も同じである）。従って、逆Ｖ字型の熱交換器を構成するパーツとしての各「熱交換部＋サブドレンパン群」の製造の際に、２種類作る必要はなく、１種類のみ作成すれば済むという効果も得られる。熱交換部（サブドレンパン群付き）を製造する際に、図７では２種類作る必要があったが、図１の例では１種類作るだけで済むことになり、以って製造の手間・コストを軽減できるという効果も得られる。
【００４９】
図４、図５に、本例の熱交換器の第２の構造例を示す。
図４、図５でも、熱交換器は、例えば室内機内に設けられているが、熱交換部とサブドレンパンのみを示す。そして、図４は斜視図であり、図５は三面図である。図５（ａ）は正面図、図５（ｂ）は上面図、図５（ｃ）は左側面図、図５（ｄ）は右側面図である。尚、図４において太矢印で示す方向が、正面から見た方向であるものとする。
【００５０】
尚、これら各図面のうち図５（ａ）（正面図）以外の図面は、サブドレンパンに関しては透視図として示している。また、図５（ａ）（正面図）は、正面から見た断面図と見做しても良い。
【００５１】
図４等の第２の構造例でも、熱交換部自体の構成は、上記第１の構造例と同じである。すなわち、各々が板状に形成された２つの熱交換部３０，４０が、両方とも傾斜して配置されており、且つ、この２つの熱交換部３０，４０が任意の対称面（垂直の平面など）に対して面対称の形で配置されており、以って逆Ｖ字型を構成している。
【００５２】
尚、上記対称面を側面から見た状態を、図５（ａ）（正面図）において一点鎖線の直線で示すものとする。図示の一点鎖線で示すように、上記対称面は、２つの熱交換部３０，４０の中間に位置しており、図示のように二次元的に見た場合は、２つの熱交換部３０，４０は一点鎖線によって線対称の関係に位置する。
【００５３】
また、ここでも、空気の流れは、図５（ａ）（正面図）に太矢印で示すように、各熱交換部３０，４０の外側から内側に向けて、熱交換部３０，４０を通過するように構成されている。
【００５４】
各熱交換部３０，４０には、内側表面に、サブドレンパン群３１，４１が設けられる。これより、サブドレンパン群３１とサブドレンパン群４１とが対向して設けられることになる。
【００５５】
尚、サブドレンパン群３１は、複数のサブドレンパン３１ａ，３１ｂ，３１ｃ，３１ｄより成る。同様に、サブドレンパン群４１は、複数のサブドレンパン４１ａ，４１ｂ，４１ｃ、４１ｄより成る。
【００５６】
本例でも、互いに対応するサブドレンパン間の間隔が、図５（ａ）（正面図）に示すように、上方側になるほど狭くなり、サブドレンパン３１ａ−４１ａ間が、最も狭くなる。尚、互いに対応するサブドレンパンとは、３１ａと４１ａ、３１ｂと４１ｂ、３１ｃと４１ｃ、３１ｄと４１ｄである。
【００５７】
本構造では、図５（ａ）に示すように、２つのサブドレンパン群３１，４１が、右側面から見た傾斜角が同じ（両方とも＋α°）となっている点では図７の構成と同様である。但し、２つのサブドレンパン群の高さ方向の位置が、図７では相互に同じ位置であったが、第２の構造例では相互に異なる位置となっている。すなわち、第２の構造例では、図５（ａ）（正面図）や図５（ｃ）や図５（ｄ）に示すように、互いに対応するサブドレンパン同士で、高さ方向の位置が相互に異なる。図示の例では、例えばサブドレンパン３１ａは、サブドレンパン４１ａよりも低い位置に設けられている。
【００５８】
この様にすることで、サブドレンパン３１ａ−４１ａ間は、サブドレンパン１１１ａ−１２１ａ間よりも広くなっており、以ってサブドレンパンによる通風抵抗を低減することができる。
【００５９】
また、図４、図５に示す例では、２つのサブドレンパン群３１，４１は、例えば、サブドレンパン４１ａ−４１ｂ間にサブドレンパン３１ａが設けられ、サブドレンパン３１ａ−３１ｂ間にサブドレンパン４１ｂが設けられ、サブドレンパン４１ｂ−４１ｃ間にサブドレンパン３１ｂが設けられ、等のように、相互に交互に設けられている。この様にして、互いに対応するサブドレンパン間の間隔がより広くなるようにしている。
【００６０】
この様に、傾斜角は同じであっても上下方向の位置をズラすことで、２つのサブドレンパン群３１，４１同士は非面対称の関係となっている。
【００６１】
図６に、本例の熱交換器を備える室内機の一例を示す。
尚、ここでは、間接外気冷房機の顕熱交換器と冷凍サイクルによる一般冷房機の蒸発器とを１つに纏めて熱交換器として設けられた構成を例にして示すが、この例に限らない。尚、この例は、換言すれば、本出願人による先願（例えば再表2012/073746(ＷＯ２０１２／０７３７４６)など）を用いた例であり、間接外気冷房機などの説明は省略する。
【００６２】
図示の例では、板状に形成された２つの熱交換部６０，７０は、それぞれ、上記顕熱交換器と蒸発器とから成る。つまり、熱交換部６０は、図示の顕熱交換器６１と蒸発器６２とを有する。同様に、熱交換部７０は、図示の顕熱交換器７１と蒸発器７２とを有する。
【００６３】
上記２つの熱交換部６０，７０は、両方とも傾斜しており、且つ、この２枚が任意の対称面（垂直の平面など）に対して面対称に配置された構造を有する。図示のように、室内機は、逆Ｖ字状（Ａ字状、あるいはハの字状とも言える）に配置される２つの熱交換部６０，７０を有する構成となっている。この様な構成により、熱交換器の大きさに比べてその設置空間を小さくすることができ、以って室内機の小型化を図ることができる。
【００６４】
尚、２つの熱交換部６０，７０は、例えば上記図１等の２つの熱交換部１０，２０に相当するが、この例に限らない。この例に限らないが、ここでは２つの熱交換部６０，７０は、例えば上記図１等の２つの熱交換部１０，２０に相当するものとして、詳しい説明は省略する。
【００６５】
各熱交換部６０，７０に対して、図上で太矢印で示すように空気が通過する構成となっている。これも特に図示しないが、熱交換部内には冷媒が流れており、熱交換部を通過する空気は、冷媒によって冷却される。
【００６６】
不図示の空調対象空間からのリターン空気である還気ＲＡが、室内機に上方から流入して、図示の太矢印で示すように各熱交換部６０，７０を通過して給気（冷気）ＳＡとなって、室内機の下方から不図示の床下空間へと送出される。これは、熱交換部６０，７０に関して、流入側（上流側）が還気ＲＡ、流出側（下流側）が給気（冷気）ＳＡであると言うこともできる。
【００６７】
尚、室内機には、その筐体の上部に、上記還気ＲＡを取り込む為の吸気口８１，８２が、設けられている。
【００６８】
上記の空気の流れは、室内機の下方に設けられたファン８３，８４によって作り出される。尚、給気（冷気）ＳＡは、図６に矢印で示すように室内機から送出され、その後、例えば上記床下空間を介して、上記空調対象空間へと流入する。
【００６９】
各熱交換部６０，７０には、それぞれ、冷却によって生じて滴下してくる結露水を受けるためのサブドレンパン群６３（６３ａ、６３ｂ、６３ｃ、６３ｄ）、７３（７３ａ、７３ｂ、７３ｃ、７３ｄ）が設けられる。各熱交換部６０，７０には、内側に（上記“下流側”に）、サブドレンパン群６３，７３が設けられる。つまり、２つのサブドレンパン群６３，７３が対向して設けられることになる。
【００７０】
そして、上記熱交換部１０，２０等に関して説明したように、本例では、対向するサブドレンパン同士の間隔を、図７等の構成に比べて広くすることができ、サブドレンパンによる上記給気（冷気）ＳＡに係わる通風抵抗の増大、という課題を、解消することができる。
【００７１】
尚、例えば図６の熱交換器を備える室内機を含む空調システム全体については、例えば上記先願（例えば再表2012/073746(ＷＯ２０１２／０７３７４６)など）に記載の構成に準じたものであってよく、ここでは図示や詳細な説明はしないが、以下、簡単に説明する。
【００７２】
この空調システムは、上記間接外気冷房機と上記冷凍サイクルによる一般冷房機とを備える。上記間接外気冷房機は、上記室内機に備えられる顕熱交換器７１（以後、第１の熱交換部と呼ぶものとする）と、不図示の室外機に備えられる不図示の第２の熱交換部と、これら第１の熱交換部と第２の熱交換部とに冷媒（流体；冷水など）を循環させる為の配管及びポンプ（不図示）を有する。第１の熱交換部には上記還気ＲＡを通過させる。第２の熱交換部には外気を通過させる。
【００７３】
上記冷凍サイクルによる一般冷房機は、上記室内機に設けられる蒸発器６２と、不図示の室外機に備えられる不図示の凝縮機や、圧縮機、膨張弁（何れも不図示）と、これらに冷媒を循環させる為の不図示の配管などを有する、一般的な構成である。また、室内機には上記ファン８３，８４が設けられており、図６に示す空気の流れを形成し、これより、上記還気ＲＡは、まず、第１の熱交換部を通過後に続いて蒸発器６２を通過するようになっている。基本的には、還気ＲＡは、第１の熱交換部の通過に伴って上記冷媒（流体；冷水など）との熱交換によって冷却され、続いて更に蒸発器６２を通過することで冷媒との熱交換によって更に冷却されて上記給気（冷気）ＳＡとなる。
【００７４】
また、室外機においても不図示のファンが設けられており、これにより特に図示しないが、外気は、まず上記第２の熱交換部を通過して上記冷媒（流体；冷水など）との熱交換後に、続いて、上記凝縮機を通過して冷媒との熱交換を行うように構成されている。
【００７５】
但し、本例の図１〜図５に示す熱交換器を適用する室内機や空調システムは、上記の例（間接外気冷房機と上記冷凍サイクルによる一般冷房機とが混在するシステム）に限るものではなく、例えば間接外気冷房機だけであってもよいし、上記冷凍サイクルによる一般冷房機だけであってもよい。
【００７６】
本実施形態では、熱交換部を板状としているが、熱交換部の形状はそれに限定されず、対向する対称面を備えていれば、箱状などの形状でも良い。さらに、対称面が球面など非平面であってもよい。
【００７７】
また、本実施形態では、全てのサブドレンパン同士が非面対称の関係となる構成例を示したが、この例に限らず、例えば、一部のサブドレンパン同士が非面対称であり、残りのサブドレンパン同士は図７、図８と同様に面対称としても構わない。この場合、非面対称とするのは、上側のサブドレンパンとする。これは、上記の通り、互いに対応するサブドレンパン間の間隔が、上方側になるほど狭くなり以って空気の通りが悪くなる為である。
【００７８】
図１、図２の例であれば、例えば、サブドレンパン１１ａとサブドレンパン２１ａとが非面対称であり、他のサブドレンパン１１ｂと２１ｂ、サブドレンパン１１ｃと２１ｃ、サブドレンパン１１ｄと２１ｄとは、面対称の関係となる構成としてもよい。この例に限らず、他の例としては、サブドレンパン１１ａと２１ａ、サブドレンパン１１ｂと２１ｂとが非面対称であり、他のサブドレンパン１１ｃと２１ｃ、サブドレンパン１１ｄと２１ｄとは、面対称の関係となる構成としてもよい。
【００７９】
上記のことは、図１、図２の構成例に限らず、図４、図５の構成例においても同様である。
【００８０】
この様に、本提案の熱交換器は、熱交換部におけるサブドレンパン群同士が対称面に対して非面対称になるように配置されるが、これはサブドレンパン群におけるサブドレンパンのうち少なくとも１つが、非面対称になるように配置されるものであり、必ずしも全てのサブドレンパン同士が対称面に対して非面対称になるように配置されなくても構わない。
【００８１】
上述した「必ずしも全てのサブドレンパン同士が非面対称の関係でなくてもよい」ことは、例えば図１、図２の構成の場合、サブドレンパン群における各サブドレンパンのうち少なくとも１つのペアについて、一方のサブドレンパンの傾斜角が、他方のサブドレンパンの傾斜角と異なるように配置されることになる。また、図４，５の構成の場合であれば、サブドレンパン群における各サブドレンパンのうち少なくとも１つのペアについて、一方のサブドレンパンと他方のサブドレンパンとが、並行かつ高さ方向の位置が異なるように配置される。
【００８２】
尚、図７、図８のような面対称の関係は、例えば「一方のサブドレンパンと他方のサブドレンパンとが、並行かつ高さ方向の位置が同じとなるように配置される」ものと言うこともできる。尚、並行な関係とは、一例としては、上述した傾斜角が同じである関係である。
【符号の説明】
【００８３】
１０  熱交換部
１１  サブドレンパン群
11a,11b,11c,11d  サブドレンパン
２０  熱交換部
２１  サブドレンパン群
21a,21b,21c,21d  サブドレンパン
３０  熱交換部
３１  サブドレンパン群
31a,31b,31c,31d  サブドレンパン
４０  熱交換部
４１  サブドレンパン群
41a,41b,41c,41d  サブドレンパン
６０  熱交換部
６１  顕熱交換器
６２  蒸発器
６３  サブドレンパン群
63a,63b,63c,63d  サブドレンパン
７０  熱交換部
７１  顕熱交換器
７２  蒸発器
７３  サブドレンパン群
73a,73b,73c,73d  サブドレンパン
８１，８２  吸気口
８３  ファン
８４  ファン
【図１】
2018185060.tif 000003
【図２】
2018185060.tif 000004
【図３】
2018185060.tif 000005
【図４】
2018185060.tif 000006
【図５】
2018185060.tif 000007
【図６】
2018185060.tif 000008
【図７】
2018185060.tif 000009
【図８】
2018185060.tif 000010